(57)【要約】      （修正有）【課題】パワーインレットソケットとハウジングとの間の組立構造を省くことにより、製品の信頼性を向上させると同時に、小型化させる電源アダプタ及びそれを備える電子機器を提供する。【解決手段】電源アダプタは、複数の端面を備えるハウジング１１を含み、複数の端面のいずれかの端面に設置されたパワーインレットソケット１２をさらに含み、パワーインレットソケットを設置した端面と、当該端面に接続した少なくとも他の端面と、パワーインレットソケットとが一体成形構造となっている。【選択図】図１
0003217786.tif 000002
【実用新案登録請求の範囲】
【請求項１】
複数の端面を備えるハウジングを含む電源アダプタであって、前記電源アダプタは、パワーインレットソケットをさらに含み、前記パワーインレットソケットが前記複数の端面のいずれかの端面に設置され、前記パワーインレットソケットを設置した端面と、当該端面と接続した少なくとも一の端面と、前記パワーインレットソケットとが一体成形構造となることを特徴とする電源アダプタ。
【請求項２】
前記複数の端面が、Ｌ形状に接続された第１端面及び第２端面を含み、前記パワーインレットソケットが、前記第１端面又は前記第２端面に設置され、前記パワーインレットソケットと、前記第１端面と、前記第２端面とが一体成形構造となることを特徴とする請求項１に記載の電源アダプタ。
【請求項３】
前記複数の端面が、Ｕ形状に接続された第１端面、第２端面及び第３端面を含み、前記パワーインレットソケットが、前記第１端面、前記第２端面又は前記第３端面に設置され、前記パワーインレットソケットと、前記第１端面と、前記第２端面と、前記第３端面とが一体成形構造となることを特徴とする請求項１に記載の電源アダプタ。
【請求項４】
前記複数の端面が、ロ形状に接続された第１端面、第２端面、第３端面及び第４端面を含み、前記パワーインレットソケットが、前記第１端面、前記第２端面、前記第３端面又は前記第４端面に設置され、前記パワーインレットソケットと、前記第１端面と、前記第２端面と、前記第３端面と、前記第４端面とが一体成形構造となることを特徴とする請求項１に記載の電源アダプタ。
【請求項５】
前記複数の端面が、箱形状に接続された第１端面、第２端面、第３端面、第４端面及び第５端面を含み、前記第５端面が、前記第１端面、前記第２端面、前記第３端面、前記第４端面により構成されたロ形状の頂部又は底部に接続され、前記パワーインレットソケットが、前記第１端面、前記第２端面、前記第３端面、前記第４端面又は前記第５端面に設置され、前記パワーインレットソケットと、前記第１端面と、前記第２端面と、前記第３端面と、前記第４端面と、前記第５端面とが一体成形構造となることを特徴とする請求項１に記載の電源アダプタ。
【請求項６】
前記複数の端面が、箱形状に接続された第１端面、第２端面、第３端面、第４端面及び第５端面を含み、前記第５端面が、前記第１端面、前記第２端面、前記第３端面、前記第４端面により構成されたロ形状の頂部又は底部に接続され、前記パワーインレットソケットが、前記第１端面、前記第２端面、前記第３端面又は前記第４端面に設置され、前記パワーインレットソケットと、前記第５端面と、前記パワーインレットソケットを設置した前記第１端面、前記第２端面、前記第３端面又は前記第４端面とが、一体成形構造となることを特徴とする請求項１に記載の電源アダプタ。
【請求項７】
前記パワーインレットソケットを設置した前記端面が少なくとも部分的に陥入し延出することにより、前記パワーインレットソケットのサイドウォール部及び底部を形成し、前記サイドウォール部と前記底部とが箱形状に設置されて前記パワーインレットソケットのピンホールを形成することを特徴とする請求項１〜６のいずれかの一項に記載の電源アダプタ。
【請求項８】
前記パワーインレットソケットが、前記ピンホール内に位置し且つ前記底部に据付けられる二つ又は三つのピンを、さらに含むことを特徴とする請求項７に記載の電源アダプタ。
【請求項９】
前記パワーインレットソケットを設置した前記端面が突出部を含み、前記パワーインレットソケットが、少なくとも部分的に前記突出部に設置されることを特徴とする請求項１に記載の電源アダプタ。
【請求項１０】
電子機器であって、
電子機器本体と、
前記電子機器本体に電気的に接続された、請求項１〜９のいずれかの一項に記載の電源アダプタと、を含むことを特徴とする電子機器。
【考案の詳細な説明】
【技術分野】
【０００１】
本実用新案は、電源アダプタに関し、具体的には、特にその内部空間を節約可能な電源アダプタに関する。
【背景技術】
【０００２】
科学技術が急速に発展している現在、ますます多くの電子機器は小型化の方向に向けて進展し、そのうち、電源アダプタが数多くの電子機器に対する不可欠な部材である。これまでの従来の電源アダプタには、パワーインレットソケットとして独立した機構を採用することが多く、パワーインレットソケットとハウジングとが、一の端面に引っ掛け溝の機構で固定されると同時に、製品安全基準は強度に対する要求が高いため、それに応じた十分な強度を持つ構造がより一層必要となり、即ち、この要求を満足するために、電源アダプタにおいて比較的大きい空間を設計する必要があることから、電源アダプタの体積が大きくなってしまい、製品の小型化にとって不利である。そこで、上述の欠陥を克服した電源アダプタを開発することが求められていた。
【考案の概要】
【０００３】
本実用新案は、解決しようとする課題が、複数の端面を有するハウジングを含む電源アダプタであって、前記電源アダプタがさらにパワーインレットソケットを含み、前記パワーインレットソケットが前記複数の端面のいずれかの端面に設けられ、前記パワーインレットソケットを設けた端面と、当該端面に接続した少なくとも一の端面と、前記パワーインレットソケットとが一体成形構造となることを特徴とする電源アダプタを提供することにある。
【０００４】
前記複数の端面が、Ｌ形状に接続された第１端面及び第２端面を含み、前記パワーインレットソケットが前記第１端面又は前記第２端面に設置され、前記パワーインレットソケットと、前記第１端面と、前記第２端面とが一体成形構造となることを特徴とする電源アダプタである。
【０００５】
前記複数の端面が、Ｕ形状に接続された第１端面、第２端面及び第３端面を含み、前記パワーインレットソケットが、前記第１端面、前記第２端面又は前記第３端面に設置され、前記パワーインレットソケットと、前記第１端面と、前記第２端面と、前記第３端面とが一体成形構造となることを特徴とする電源アダプタである。
【０００６】
前記複数の端面が、ロ形状に接続された第１端面、第２端面、第３端面及び第４端面を含み、前記パワーインレットソケットが、前記第１端面、前記第２端面、前記第３端面又は前記第４端面に設置され、前記パワーインレットソケットと、前記第１端面と、前記第２端面と、前記第３端面と、前記第４端面とが一体成形構造となることを特徴とする電源アダプタである。
【０００７】
前記複数の端面が、箱形状に接続された第１端面、第２端面、第３端面、第４端面及び第５端面を含み、前記第５端面が、前記第１端面、前記第２端面、前記第３端面、前記第４端面により構成されたロ形状の頂部又は底部に接続され、前記パワーインレットソケットが、前記第１端面、前記第２端面、前記第３端面、前記第４端面又は前記第５端面に設置され、前記パワーインレットソケットと、前記第１端面と、前記第２端面と、前記第３端面と、前記第４端面と、前記第５端面とが一体成形構造となることを特徴とする電源アダプタである。
【０００８】
前記複数の端面が、箱形状に接続された第１端面、第２端面、第３端面、第４端面及び第５端面を含み、前記第５端面が、前記第１端面、前記第２端面、前記第３端面、前記第４端面により構成されたロ形状の頂部又は底部に接続され、前記パワーインレットソケットが、前記第１端面、前記第２端面、前記第３端面又は前記第４端面に設置され、前記パワーインレットソケットと、前記第５端面と、前記パワーインレットソケットを設置した前記第１端面、前記第２端面、前記第３端面又は前記第４端面とが、一体成形構造となることを特徴とする電源アダプタである。
【０００９】
前記パワーインレットソケットを設置した前記端面が、少なくとも部分的に陥入し延出することにより前記パワーインレットソケットのサイドウォール部及び底部を形成し、前記サイドウォール部と前記底部が箱形状に設置されて前記パワーインレットソケットのピンホールを形成することを特徴とする電源アダプタである。
【００１０】
前記パワーインレットソケットが、前記ピンホール内に位置し且つ前記底部に据付けられた二つ又は三つのピンを、さらに含むことを特徴とする電源アダプタである。
【００１１】
前記パワーインレットソケットを設置した前記端面が、突出部を含み、前記パワーインレットソケットの少なくとも一部が、前記突出部に設置されたことを特徴とする電源アダプタである。
【００１２】
本実用新案は、電子機器本体と、前記電子機器本体に電気的に接続された前記いずれか一項に記載の電源アダプタと、を含むことを特徴とする電子機器をさらに提供する。
【考案の効果】
【００１３】
本実用新案は、従来技術に比べ、その効果が、パワーインレットソケットを電源アダプタのハウジングの少なくとも２個の端面と一体化させることで、パワーインレットソケットとハウジングとの間の組立構造を省くことにより、内部固定用の組立空間を節約でき、製品の信頼性を向上させると同時に、製品を小型化させることもできることにある。
【図面の簡単な説明】
【００１４】
【図１】本実用新案にかかる電源アダプタの第１の実施例の概略構成図。
【図２】本実用新案にかかる電源アダプタの第２の実施例の概略構成図。
【図３】本実用新案にかかる電源アダプタの第３の実施例の概略構成図。
【図４】本実用新案にかかる電源アダプタの第４の実施例の概略構成図。
【図５】本実用新案にかかる電源アダプタの第５の実施例の概略構成図。
【考案を実施するための形態】
【００１５】
以下、実施例を挙げて本実用新案の技術内容を具体的に説明するが、本実用新案がそれに限定されるものだと理解してはいけない。
【００１６】
図１を参照してください。図１は、本実用新案にかかる電源アダプタの第１の実施例の概略構成図である。本実用新案にかかる電源アダプタは、ハウジング１１を含み、ハウジング１１が複数の端面を備え、図１には、そのうちの二個の端面だけを示した。電源アダプタは、さらにパワーインレットソケット１２を含み、パワーインレットソケット１２が、複数の端面のいずれかの端面に設置され、パワーインレットソケット１２を設置した端面と、当該端面に接続した少なくとも他の端面と、パワーインレットソケット１２とが一体成形構造となる。
【００１７】
そのうち、図１に示した電源アダプタの構造には、ハウジング１１の複数の端面が、Ｌ形状に接続された第１端面１１１ａ及び第２端面１１１ｂを含み、パワーインレットソケット１２が第１端面１１１ａに設置され、パワーインレットソケット１２と、第１端面１１１ａと、第２端面１１１ｂとが一体成形構造となる。しかしながら、本実用新案はこれに限定されるものではなく、その他の実施例には、パワーインレットソケット１２が第２端面１１１ｂに設置されてもよい。
【００１８】
さらに、第１端面１１１ａを少なくとも部分的に内向に陥入し延出することにより、パワーインレットソケット１２のサイドウォール部１２１及び底部１２２を形成し、サイドウォール部１２１と底部１２２が箱形状に設置されてパワーインレットソケット１２のピンホール１２３を形成し、パワーインレットソケット１２が、ピンホール１２３内に位置し且つ底部１２２に据付られた二つのピン１２４をさらに含むが、本実用新案は、ピンの数を限定せず、その他の実施例には、パワーインレットソケット１２が、三つのピンを含んでもよい。本実施例において、一体成形構造の信頼性を向上させるために、第１端面１１１ａと第２端面１１１ｂとの間に、一つの過渡面１１２をさらに接続してもよい。図１に示したように、過渡面１１２は斜断面であるが、その他の実施例には、過渡面１１２が曲面等であってもよく、本実用新案は、それらに限定されるものではない。
【００１９】
図２を参照してください。図２は、本実用新案にかかる電源アダプタの第２の実施例の概略構成図である。図２に示したように、ハウジング１１の複数の端面は、Ｕ形状に接続された第１端面１１１ｃ、第２端面１１１ｄ及び第３端面１１１ｅを含み、パワーインレットソケット１２が第２端面１１１ｄに設置され、パワーインレットソケット１２と、第１端面１１１ｃと、第２端面１１１ｄと、第３端面１１１ｅとが一体成形構造となる。本実施例において、パワーインレットソケット１２が第２端面１１１ｄに設置されたが、本実用新案はこれに限定されず、その他の実施例には、パワーインレットソケット１２が第１端面１１１ｃ又は第３端面１１１ｅに設置されてもよいことに注意すべきである。そのうち、パワーインレットソケット１２の構成は、図１に示したパワーインレットソケット１２の構成と同一であるため、ここでは重複した説明を省略する。なお、第１端面１１１ｃと第２端面１１１ｄとの間、及び第２端面１１１ｄと第３端面１１１ｅとの間にそれぞれ一つの過渡面１１３がさらに接続されており、そのうち、本実施例において、過渡面１１３が斜断面であるが、本実用新案はこれに限定されるものではない。
【００２０】
図３を参照してくだい。図３は、本実用新案にかかる電源アダプタの第３の実施例の概略構成図である。図３に示したように、ハウジング１１の複数の端面は、ロ形状に接続された第１端面１１１ｆ、第２端面１１１ｇ、第３端面１１１ｈ及び第４端面１１１ｉを含み、パワーインレットソケット１２が第２端面１１１ｇに設置され、パワーインレットソケット１２と、第１端面１１１ｆと、第２端面１１１ｇと、第３端面１１１ｈと、第４端面１１１ｉとが一体成形構造となる。本実施例において、パワーインレットソケット１２は第２端面１１１ｇに設置されたが、本実用新案はこれに限定されず、その他の実施例には、パワーインレットソケット１２が第１端面１１１ｆ、第３端面１１１ｈ又は第４端面１１１ｉに設置されてもよい。そのうち、パワーインレットソケット１２の構成は、図１に示したパワーインレットソケット１２の構成と同一であるため、ここでは重複した説明を省略する。
【００２１】
さらに、第１端面１１１ｆと、第２端面１１１ｇと、第３端面１１１ｈと接続しているところに、それぞれ一つの過渡面１１３が設置されており、そのうち、本実施例では、過渡面１１３が斜断面である。
【００２２】
図４を参照してください。図４は、本実用新案にかかる電源アダプタの第４の実施例の概略構成図である。図４に示した電源アダプタは、図３に示した電源アダプタの構成とが、略同一であるため、同一部分について、ここでは重複した説明を省略する。異なった部分について、以下のとおり説明する。第２端面１１１ｇは、一の側辺が上に延出してなる突出部Ｔを含み、パワーインレットソケット１２が少なくとも部分的に突出部Ｔに設置されたが、本実用新案はこれに限定されず、その他の実施例には、突出部Ｔが、第１端面１１１ｆ、第３端面１１１ｈ又は第４端面１１１ｉに設置されてもよい。
【００２３】
図５を参照してください。図５は、本実用新案にかかる電源アダプタの第５の実施例の概略構成図である。図５に示した電源アダプタは、図４に示した電源アダプタの構造とが、略同一であるため、同一部分について、ここでは重複した説明を省略する。異なった部分について、以下のとおり説明する。ハウジング１１の複数の端面は、さらに第５端面１１１ｊを含み、第５端面１１１ｊが、第１端面１１１ｆ、第２端面１１１ｇ、第３端面１１１ｈ及び第４端面１１１ｉにより構成されたロ形状の底部に接続され、パワーインレットソケット１２が、第２端面１１１ｇに設置され、パワーインレットソケット１２と、第１端面１１１ｆと、第２端面１１１ｇと、第３端面１１１ｈと、第４端面１１１ｉと、第５端面１１１ｊとが一体成形構造となる。本実施例において、パワーインレットソケット１２は第２端面１１１ｇに設置されたが、本実用新案はこれに限定されず、その他の実施例には、パワーインレットソケット１２が、第１端面１１１ｆ、第３端面１１１ｈ、第４端面１１１ｉ又は第５端面１１１ｊに設置されてもよい。そのうち、パワーインレットソケット１２の構造は、図１示したパワーインレットソケット１２の構造と同一であるため、ここでは重複した説明を省略する。
【００２４】
本実施例において、第５端面１１１ｊは、第１端面１１１ｆ、第２端面１１１ｇ、第３端面１１１ｈ及び第４端面１１１ｉにより構成されたロ形状の底部に接続されたが、本実用新案のその他の実施例には、第５端面１１１ｊが、第１端面１１１ｆ、第２端面１１１ｇ、第３端面１１１ｈ及び第４端面１１１ｉにより構成されたロ形状の頂部に接続されてもよいことに注意すべきである。
【００２５】
さらに、第２端面１１１ｇは、一の側辺が上に延出してなる突出部Ｔを含み、パワーインレットソケット１２が少なくとも部分的に突出部Ｔに設置されたが、本実用新案はこれに限定されず、その他の実施例には、突出部Ｔが、第１端面１１１ｆ、第３端面１１１ｈ又は第４端面１１１ｉに設置されてもよい。
【００２６】
その他の実施例には、パワーインレットソケット１２が、第１端面１１１ｆ、第２端面１１１ｇ、第３端面１１１ｈ又は第４端面１１１ｉに設置された場合、第５端面１１１ｊ及びパワーインレットソケット１２が、第１端面１１１ｆ、第２端面１１１ｇ、第３端面１１１ｈ、第４端面１１１ｉ中の、パワーインレットソケット１２を設置した端面のみと、一体成形構造となることに注意すべきである。
【００２７】
本実用新案は、電子機器本体及び、当該電子機器本体に電気的に接続された電源アダプタを含む電子機器をさらに提供し、そのうち、電源アダプタの具体的な構成は、図１〜図５に示した電源アダプタの構成と同一であるため、ここでは重複した説明を省略する。
【００２８】
以上のことから、電源アダプタのパワーインレットソケットと、電源アダプタのハウジングの少なくとも二つの端面とを、一体成形構造にして、パワーインレットソケットとハウジングとの間の組立構造を省くことにより、電源アダプタのハウジングの内部固定用の組立空間を節約でき、製品の信頼性を向上させると同時に、さらに製品を小型化させることもできる。
【００２９】
上記内容は、ただ本実用新案の好適な実施例であり、本実用新案の実施範囲を限定するものではなく、本実用新案の趣旨及び実質を逸脱しない範囲において、当業者が、本実用新案により適宜変更・変形可能であるのは勿論であるが、これら適宜変更・変形は、すべて本実用新案の保護範囲以内のものである。
【符号の説明】
【００３０】
１１：ハウジング
１１１ａ、１１１ｃ、１１１ｆ：第１端面
１１１ｂ、１１１ｄ、１１１ｇ：第２端面
１１１ｅ、１１１ｈ：第３端面
１１１ｉ：第４端面
１１１ｊ：第５端面
１１２、１１３：過渡面
１２：パワーインレットソケット
１２１：サイドウォール部
１２２：底部
１２３：ピンホール
１２４：ピン
【図１】
0003217786.tif 000003
【図２】
0003217786.tif 000004
【図３】
0003217786.tif 000005
【図４】
0003217786.tif 000006
【図５】
0003217786.tif 000007